(57)【要約】【課題】電子印刷物の自動ページ検出方法及びそれを使用する電子印刷物を提供する。【解決手段】本発明の自動ページ検出方法は、電子印刷物の指定ページのＮ個の第一所定位置にＮ個の受信ユニットが設置される工程と、電子印刷物の上述の指定ページの第二所定位置に伝送ユニットが設置される工程と、Ｎ枚のページにＮ個の薄膜回路がそれぞれ設置され、第Ｋページの第Ｋ個目の第一所定位置から第二所定位置の間には薄膜回路が設置される工程と、伝送ユニットにより検出信号が発信される工程と、上述のＮ個の受信ユニットの内の検出信号を受信させた受信ユニットに基づいて、現在のページ数の判断を行う工程とを含む。【選択図】図３
2016189191.tif 000002
【特許請求の範囲】
【請求項１】
複数のページを有する電子印刷物に適用される自動ページ検出方法であって、
前記電子印刷物の指定ページのＮ個の第一所定位置に、Ｎ個の受信ユニットが設置される工程と、
前記電子印刷物の前記指定ページの第二所定位置に、伝送ユニットが設置される工程と、
Ｎ枚のページにＮ個の薄膜回路がそれぞれ設置され、第Ｋページの第Ｋ個目の第一所定位置から第二所定位置の間に、薄膜回路が設置される工程と、
前記伝送ユニットにより検出信号が発信される工程と、
上述のＮ個の受信ユニットの内の前記検出信号を受信させた受信ユニットに基づいて、現在のページ数の判断を行う工程とを含み、
ここでは、Ｎ及びＫは自然数であり、且つＫ＜＝Ｎであることを特徴とする自動ページ検出方法。
【請求項２】
第Ｊページに（Ｎ−Ｊ）個の第二薄膜回路が設置され、第（Ｊ＋１）個目の第一所定位置〜第Ｎ個目の第一所定位置にそれぞれ配置され、信号伝導経路を提供する工程を更に含み、
ここでは、Ｊは自然数であり、且つＪ＜Ｎであることを特徴とする、請求項１に記載の自動ページ検出方法。
【請求項３】
複数のページを有する電子印刷物に適用される自動ページ検出方法であって、
前記電子印刷物の指定ページのＮ個の第一所定位置に、Ｎ個の伝送ユニットが設置される工程と、
前記電子印刷物の前記指定ページの第二所定位置に、受信ユニットが設置される工程と、
Ｎ枚のページにＮ個の薄膜回路がそれぞれ設置され、第Ｋページの第Ｋ個目の第一所定位置から第二所定位置の間に、薄膜回路が設置される工程と、
各これら前記伝送ユニットにより検出信号が発信され、第Ｉ個目の伝送ユニットにより第Ｉ検出信号が発信される工程と、
上述の受信ユニットにより受信された検出信号の索引番号に基づいて、現在のページ数の判断を行う工程と、を含み、
ここでは、Ｎ、Ｉ及びＫは自然数であり、且つＫ＜＝Ｎ並びにＩ＜＝Ｎであることを特徴とする自動ページ検出方法。
【請求項４】
第Ｊページに（Ｎ−Ｊ）個の第二薄膜回路が設置され、第（Ｊ＋１）個目の第一所定位置〜第Ｎ個目の第一所定位置にそれぞれ配置され、信号伝導経路を提供する工程を更に含み、
ここでは、Ｊは自然数であり、且つＪ＜Ｎであることを特徴とする、請求項３に記載の自動ページ検出方法。
【請求項５】
各々がＮ個の第一所定位置及び第二所定位置からなるＮ枚のページを備え、且つ各これら前記ページ内には、
第Ｋページの第Ｋ個目の第一所定位置から第二所定位置の間に配置される薄膜回路と、
指定ページと、を含み、前記指定ページは、
Ｎ個の第一所定位置にそれぞれ配置されるＮ個の受信ユニットと、
前記第二所定位置に配置される伝送ユニットと、
前記伝送ユニット及び上述のＮ個の受信ユニットにそれぞれ接続される制御回路と、をさらに具備し、
ここでは、前記制御回路により前記伝送ユニットが制御されて検出信号を発信させ、且つ前記制御回路は上述のＮ個の受信ユニットの内の前記検出信号を受信させた受信ユニットに基づいて、現在の使用者がめくっているページの判断を行い、
また、Ｎ及びＫは自然数であり、且つＫ＜＝Ｎであることを特徴とする電子印刷物。
【請求項６】
第Ｊページは、
第（Ｊ＋１）個目の第一所定位置〜第Ｎ個目の第一所定位置にそれぞれ配置され、信号伝導経路を提供する（Ｎ−Ｊ）個の第二薄膜回路を備え、
ここでは、Ｊは自然数であり、且つＪ＜Ｎであることを特徴とする、請求項５に記載の電子印刷物。
【請求項７】
前記伝送ユニットは、
前記制御回路に接続されて共振パルスの受信に用いられるベース電極と、コモン電圧に接続されるエミッタ電極と、コレクターとで構成されるトランジスタと、
電源電圧に接続される第一端及び前記トランジスタのコレクターに接続される第二端からなる共振回路と、
前記共振回路の第二端に接続される伝送導体と、を備えることを特徴とする、請求項５に記載の電子印刷物。
【請求項８】
前記共振回路は、
前記共振回路の第一端に接続される第一端及び前記共振回路の第二端に接続される第二端からなる抵抗器と、
前記共振回路の第一端に接続される第一端及び前記共振回路の第二端に接続される第二端からなるキャパシタと、
前記共振回路の第一端に接続される第一端及び前記共振回路の第二端に接続される第二端からなるインダクタンスと、を備えることを特徴とする、請求項７に記載の電子印刷物。
【請求項９】
各これら前記受信ユニットは、
受信導体と、
前記受信導体に接続され、受信される信号に対してバンドパスフィルターをかけ、バンドパスフィルター信号を出力させるフィルターユニットと、
前記フィルターユニットに接続されると共に前記バンドパスフィルター信号を増幅させて、増幅後のバンドパスフィルター信号を出力させる入力端及び出力端で構成される信号増幅ユニットと、
前記増幅後のバンドパスフィルター信号の検出を行い、検出パルスを出力させるピーク値検出ユニットと、を備えることを特徴とする、請求項５に記載の電子印刷物。
【請求項１０】
前記フィルターユニットは、
前記受信導体に接続される第一端及びコモン電圧に接続される第二端からなるキャパシタと、
前記受信導体に接続される第一端及び前記コモン電圧に接続される第二端からなるインダクタンスと、を備えることを特徴とする、請求項９に記載の電子印刷物。
【請求項１１】
前記信号増幅ユニットは、
前記フィルターユニット及び前記信号増幅ユニットの入力端に接続される第一端及び第二端からなるアイソレーションキャパシタと、
前記アイソレーションキャパシタの第二端に接続されるベース電極と、コモン電圧に接続されるエミッタ電極と、前記信号増幅ユニットの出力端に接続されるコレクターとで構成されるトランジスタと、
前記トランジスタのベース電極に接続される第一端及び前記トランジスタのコレクターに接続される第二端からなる第一抵抗器と、
電源電圧に接続される第一端及び前記トランジスタのコレクターに接続される第二端からなる第二抵抗器と、を備えることを特徴とする、請求項９に記載の電子印刷物。
【請求項１２】
前記ピーク値検出ユニットは、
前記信号増幅ユニットの出力端に接続されるアノード及びカソードで構成されるダイオードと、
前記ダイオードのカソードに接続される第一端及びコモン電圧に接続される第二端からなる第一キャパシタと、
前記ダイオードのカソードに接続される第一端及び前記コモン電圧に接続される第二端からなる第一抵抗器と、
前記ダイオードのカソードに接続される第一端及び第二端からなる第二抵抗器と、
前記第二抵抗器の第二端に接続される第一端及び前記コモン電圧に接続される第二端からなる第二キャパシタと、
前記ダイオードのカソードに接続される第一入力端と、前記第二キャパシタの第一端に接続される第二入力端と、前記検出パルスを出力させる出力端とで構成される増幅器とを備えることを特徴とする、請求項９に記載の電子印刷物。
【請求項１３】
前記伝送ユニットは、
前記制御回路に接続されてパルスの出力に用いられる入力端及び出力端からなるパルス発生回路と、
前記パルス発生回路の出力端に接続される伝送導体と、を備え、
ここでは、第Ｉ個目の受信ユニットは、
前記制御回路の第Ｉ個目の入出力ピンに接続される第Ｉ個目の受信導体を含み、
また、第Ｉ＋１個目の入出力ピンと第Ｉ個目の入出力ピンとの間には、抵抗素子を有し、
第Ｉ＋１個目の入出力ピンが前記第Ｉ個目の入出力ピンに対して特定の電圧まで充電させると、前記制御回路により前記パルス発生回路が制御されて前記パルスを出力させ、第Ｉ個目の入出力ピンの電位が前記特定の電圧より低いかどうかによって現在の使用者がめくっているページの判定を行うことを特徴とする、請求項５に記載の電子印刷物。
【請求項１４】
前記伝送ユニットは、
前記制御回路に接続されてパルスを出力させる入力端及び出力端からなるパルス発生回路と、
前記パルス発生回路の出力端に接続される伝送導体と、を備え、
ここでは、第Ｉ個目の受信ユニットは、
前記制御回路の第Ｉ個目の入出力ピンに接続される第Ｉ個目の受信導体を含み、
また、第Ｉ−１個目の入出力ピンと第Ｉ個目の入出力ピンとの間には、抵抗素子を有し、
第Ｉ−１個目の入出力ピンが前記第Ｉ個目の入出力ピンに対して特定の電圧まで充電させると、前記制御回路により前記パルス発生回路が制御されて前記パルスを出力させ、第Ｉ個目の入出力ピンの電位が前記特定の電圧より低いかどうかによって現在の使用者がめくっているページの判定を行うことを特徴とする、請求項５に記載の電子印刷物。
【請求項１５】
各々がＮ個の第一所定位置及び第二所定位置からなるＮ枚のページであって、各ページ内には薄膜回路が設置され、第Ｋページの第Ｋ個目の第一所定位置から第二所定位置の間には、薄膜回路が配置されることと、
指定ページと、を備え、前記指定ページは、
Ｎ個の第一所定位置にそれぞれ配置されるＮ個の伝送ユニットと、
前記第二所定位置に配置される受信ユニットと、
前記受信ユニット及び上述のＮ個の伝送ユニットにそれぞれ接続される制御回路と、をさらに含み、
ここでは、前記制御回路により上述のＮ個の伝送ユニットが制御されて第一検出信号〜第Ｎ検出信号をそれぞれ発信させ、且つ前記制御回路は上述の受信ユニットにより受信された検出信号の索引番号に基づいて、現在の使用者がめくっているページの判断を行い、
また、Ｎ及びＫは自然数であり、且つＫ＜＝Ｎであることを特徴とする電子印刷物。
【請求項１６】
第Ｊページは、
第（Ｊ＋１）個目の第一所定位置〜第Ｎ個目の第一所定位置にそれぞれ配置され、信号伝導経路を提供する（Ｎ−Ｊ）個の第二薄膜回路を備え、
ここでは、Ｊは自然数であり、且つＪ＜Ｎであることを特徴とする、請求項１５に記載の電子印刷物。
【請求項１７】
各これら前記伝送ユニットは、
前記制御回路に接続されて共振パルスの受信に用いられるベース電極と、コモン電圧に接続されるエミッタ電極と、コレクターとで構成されるトランジスタと、
電源電圧に接続される第一端及び前記トランジスタのコレクターに接続される第二端からなる共振回路と、
前記共振回路の第二端に接続される伝送導体と、を備えることを特徴とする、請求項１５に記載の電子印刷物。
【請求項１８】
前記共振回路は、
前記共振回路の第一端に接続される第一端及び前記共振回路の第二端に接続される第二端からなる抵抗器と、
前記共振回路の第一端に接続される第一端及び前記共振回路の第二端に接続される第二端からなるキャパシタと、
前記共振回路の第一端に接続される第一端及び前記共振回路の第二端に接続される第二端からなるインダクタンスと、を備えることを特徴とする、請求項１７に記載の電子印刷物。
【請求項１９】
前記受信ユニットは、
受信導体と、
前記受信導体に接続され、受信された信号に対してバンドパスフィルターをかけ、バンドパスフィルター信号を出力させるフィルターユニットと、
前記フィルターユニットに接続されて前記バンドパスフィルター信号を増幅させ、増幅後のバンドパスフィルター信号を出力させる入力端及び出力端からなる信号増幅ユニットと、
前記増幅後のバンドパスフィルター信号の検出を行い、検出パルスを出力させるピーク値検出ユニットと、を備えることを特徴とする、請求項１５に記載の電子印刷物。
【請求項２０】
前記フィルターユニットは、
前記受信導体に接続される第一端及びコモン電圧に接続される第二端からなるキャパシタと、
前記受信導体に接続される第一端及び前記コモン電圧に接続される第二端からなるインダクタンスを備えることを特徴とする、請求項１９に記載の電子印刷物。
【請求項２１】
前記信号増幅ユニットは、
前記フィルターユニット及び前記信号増幅ユニットの入力端に接続される第一端及び第二端からなるアイソレーションキャパシタと、
前記アイソレーションキャパシタの第二端に接続されるベース電極と、コモン電圧に接続されるエミッタ電極と、前記信号増幅ユニットの出力端に接続されるコレクターとで構成されるトランジスタと、
前記トランジスタのベース電極に接続される第一端及び前記トランジスタのコレクターに接続される第二端からなる第一抵抗器と、
電源電圧に接続される第一端及び前記トランジスタのコレクターに接続される第二端からなる第二抵抗器と、を備えることを特徴とする、請求項１９に記載の電子印刷物。
【請求項２２】
前記ピーク値検出ユニットは、
前記信号増幅ユニットの出力端に接続されるアノード及びカソードからなるダイオードと、
前記ダイオードのカソードに接続される第一端及びコモン電圧に接続される第二端からなる第一キャパシタと、
前記ダイオードのカソードに接続される第一端及び前記コモン電圧に接続される第二端からなる第一抵抗器と、
第一端及び第二端からなる前記ダイオードのカソードに接続される第二抵抗器と、
前記第二抵抗器の第二端に接続される第一端及び前記コモン電圧に接続される第二端からなる第二キャパシタと、
前記ダイオードのカソードに接続される第一入力端と、前記第二キャパシタの第一端に接続される第二入力端と、前記検出パルスを出力させる出力端とで構成される増幅器とを備えることを特徴とする、請求項１９に記載の電子印刷物。
【請求項２３】
前記電子印刷物のページの検出が行われる検出時間を含み、また、前記検出時間はＮ個の検出サブ期間に分けられ、前記制御回路により第Ｉ検出サブ期間で、第Ｉ個目の伝送ユニットが制御されて第Ｉの検出信号を発信させ、
第Ｉ検出サブ期間で、前記制御回路が前記受信ユニットにより受信された前記第Ｉ検出信号を検出させ、且つ第Ｉ＋１検出期間で、前記受信ユニットが前記第Ｉ＋１検出信号を受信していない場合、前記制御回路は使用者が現在めくっているページは第Ｉ検出信号が対応するページであると判定させ、
ここでは、Ｉは自然数であり、且つＩ＜Ｎであることを特徴とする、請求項１５に記載の電子印刷物。
【発明の詳細な説明】
【技術分野】
【０００１】
本発明は、電子印刷物の自動ページ検出方法及びそれを使用する電子印刷物に関する。
【背景技術】
【０００２】
生活水準が向上するに連れ、より多くの親達が子供の教育に力を入れるようになっており、就学前の児童に対する教育にも関心が集まっている。このような背景により、市場では就学前児童のための知育電子製品が日々登場している。しかしこれらの製品の多くは家電製品であり、長期間使用した場合、子供の身体、心理及び精神面に傷害を与える。また、子供の読書能力も低下する。このため、本物の書籍が児童の早期教育にとって主要な道具となっている。
【０００３】
児童向け書籍の面白味及び遊戯性を高め、児童の読書に対する興味を高めるため、現在市場では電子児童書籍が登場している。電子児童書籍はインタラクティブな機能を有し、例えば、ページにボタンが内蔵されていたり、或いは児童書籍のページの内容を自動的に音声で読み上げる。なお、使用者がめくっているページを識別させるために、例えば、図１は従来の技術の中国実用新案第ＣＮ２０２６３２５６５Ｕが掲示される電子書籍のページ検出装置である。前述のページ検出装置は書籍の右側に設置される赤外線読取回路１０２に配置され、且つ各ページの右側には共にバーコード１０１が設置される。バーコードを読み取ることで使用者がめくっているページの判断を行う。この技術は書籍の右側に書籍よりも厚いブロックが配置され、赤外線読取回路１０２により各ページのバーコード１０１が読み取られる。
【０００４】
なお、図２は他の従来の技術が掲示される光学シールド式ページ検出装置である。
【先行技術文献】
【特許文献】
【０００５】
【特許文献１】中国実用新案第ＣＮ２０２６３２５６５Ｕ号明細書
【発明の概要】
【発明が解決しようとする課題】
【０００６】
しかしながら、前述した従来の技術では、即ち、上述した図２の例では、９ページの書籍を例にすると、光学遮蔽式のページ検出では、硫化カドミウム（ＣＤＳ）、フォトダイオード（Ｐｈｏｔｏ  Ｄｉｏｄｅ）等の９個の光センサー２０１を利用し、使用者が別のページをめくった際に、異なる数量の光センサーが遮蔽される。故に、９ページの書籍には９個の光センサーが必要になる。各ページの書面には、異なる位置に開孔部を有し、ページ毎に異なる数量の光センサーが遮蔽されることで、ページ数が判断される。
【０００７】
光学遮蔽方式は簡易であるが、但し、大量の光センサーが必要になり、これらの光センサーのためにコストが掛かる。また、硫化カドミウム（ＣＤＳ）は欧米では既に使用不可能である。さらには、書籍に開孔する場合、更にコストが増加する。
【０００８】
そこで、本発明者は上記の欠点が改善可能と考え、鋭意検討を重ねた結果、合理的かつ効果的に課題を改善する本発明の提案に到った。
【０００９】
本発明は、以上の従来技術の課題を解決する為になされたものである。即ち、本発明は、電子印刷物の自動ページ検出方法及びそれを使用する電子印刷物を提供することを主目的とする。換言すれば、各ページに導体が嵌入され、信号伝導経路が形成され、指定ページの信号が回路に送受信されることでページの判断を行う。
【課題を解決するための手段】
【００１０】
上述した課題を解決し、上記目的を達成するための本発明は、本発明に係る電子印刷物の自動ページ検出方法は、複数のページを有する電子印刷物に適用され、前記自動ページ検出方法は、
前記電子印刷物の指定ページのＮ個の第一所定位置に、Ｎ個の受信ユニットが設置される工程と、前記電子印刷物の前記指定ページの第二所定位置に、伝送ユニットが設置される工程と、Ｎ枚のページにＮ個の薄膜回路がそれぞれ設置され、第Ｋページの第Ｋ個目の第一所定位置から第二所定位置の間に、薄膜回路が設置される工程と、前記伝送ユニットにより検出信号が発信される工程と、
上述のＮ個の受信ユニットの内の前記検出信号を受信させた受信ユニットに基づいて、現在のページ数の判断を行う工程とを含み、Ｎ及びＫは自然数であり、且つＫ＜＝Ｎであることを特徴とする。
【００１１】
本発明の他の電子印刷物の自動ページ検出方法は、複数のページを有する電子印刷物に適用される。前記自動ページ検出方法は、電子印刷物の指定ページのＮ個の第一所定位置にＮ個の伝送ユニットが設置される工程と、電子印刷物の指定ページの第二所定位置に受信ユニットが設置される工程と、Ｎ枚のページにＮ個の薄膜回路がそれぞれ設置され、第Ｋページの第Ｋ個目の第一所定位置から第二所定位置の間に薄膜回路が設置される工程と、各これら前記伝送ユニットにより検出信号が発信され、第Ｉ個目の伝送ユニットにより第Ｉ信号が発信される工程と、上述の受信ユニットにより受信された検出信号の索引番号に基づいて、現在のページ数の判断を行う工程とを含む。
【００１２】
また、本発明の他の電子印刷物は、Ｎ枚のページ及び指定ページを含む。各これら前記ページはＮ個の第一所定位置及び第二所定位置を備え、各これら前記ページ内には薄膜回路を具備する。前記薄膜回路は第Ｋページの第Ｋ個目の第一所定位置から第二所定位置の間に配置される。上述の指定ページはＮ個の受信ユニットと、伝送ユニットと、制御回路とを備える。Ｎ個の受信ユニットはＮ個の第一所定位置にそれぞれ配置される。伝送ユニットは第二所定位置に配置される。制御回路は伝送ユニット及び上述のＮ個の受信ユニットにそれぞれ接続される。制御回路により伝送ユニットが制御されて検出信号を発信させ、且つ制御回路は上述のＮ個の受信ユニットの内の前記検出信号を受信させた受信ユニットに基づいて、現在の使用者がめくっているページの判断を行う。
【００１３】
さらに、本発明の他の電子印刷物は、Ｎ枚のページ及び指定ページを含む。各これら前記ページはＮ個の第一所定位置及び第二所定位置を備え、各これら前記ページ内には薄膜回路を具備する。前記薄膜回路は第Ｋページの第Ｋ個目の第一所定位置から第二所定位置の間に配置される。上述の指定ページはＮ個の伝送ユニットと、受信ユニットと、制御回路とを備える。Ｎ個の伝送ユニットはＮ個の第一所定位置にそれぞれ配置される。受信ユニットは第二所定位置に配置される。制御回路は受信ユニット及び上述のＮ個の伝送ユニットにそれぞれ接続される。制御回路により上述のＮ個の伝送ユニットが制御されて第一検出信号〜第Ｎ検出信号をそれぞれ発信させ、且つ制御回路は上述の受信ユニットにより受信された検出信号の索引番号に基づいて、現在の使用者がめくっているページの判断を行う。
【００１４】
本発明の好ましい実施形態による電子印刷物の自動ページ検出方法及びそれを使用する電子印刷物によれば、上述の第Ｊページは、第（Ｊ＋１）個目の第一所定位置〜第Ｎ個目の第一所定位置にそれぞれ配置されて信号伝導経路を提供する（Ｎ−Ｊ）個の第二薄膜回路を備える。好ましい一実施形態によると、伝送ユニットはトランジスタと、共振回路と、伝送導体とを含む。トランジスタは、制御回路に接続されて共振パルスの受信に用いられるベース電極と、コモン電圧に接続されるエミッタ電極と、コレクターとで構成される。共振回路は、電源電圧に接続される第一端及びトランジスタのコレクターに接続される第二端からなる。伝送導体は共振回路の第二端に接続される。
【００１５】
本発明の好ましい実施形態による電子印刷物の自動ページ検出方法及びそれを使用する電子印刷物によれば、上述の共振回路は、抵抗器と、キャパシタと、インダクタンスとを備える。抵抗器の第一端は共振回路の第一端に接続され、抵抗器の第二端は前記共振回路の第二端に接続される。キャパシタの第一端は共振回路の第一端に接続され、キャパシタの第二端は共振回路の第二端に接続される。インダクタンスの第一端は共振回路の第一端に接続され、インダクタンスの第二端は共振回路の第二端に接続される。
【００１６】
本発明の好ましい実施形態による電子印刷物の自動ページ検出方法及びそれを使用する電子印刷物によれば、上述の各受信ユニットは、受信導体と、フィルターユニットと、信号増幅ユニットと、ピーク値検出ユニットとを備える。フィルターユニットは受信導体に接続されて受信された信号に対してバンドパスフィルターをかけ、バンドパスフィルター信号を出力させる。信号増幅ユニットは、フィルターユニットに接続されてバンドパスフィルター信号を増幅させ、増幅後のバンドパスフィルター信号を出力させる入力端及び出力端からなる。ピーク値検出ユニットは増幅後のバンドパスフィルター信号の検出に用いられ、検出パルスを出力させる。
【００１７】
本発明の好ましい実施形態による電子印刷物の自動ページ検出方法及びそれを使用する電子印刷物によれば、上述の伝送ユニットはパルス発生回路及び伝送導体を備える。パルス発生回路は、制御回路に接続されてパルスを出力させる入力端及び出力端からなる。伝送導体は前記パルス発生回路の出力端に接続される。第Ｉ個目の受信ユニットは第Ｉ個目の受信導体を含み、前記制御回路の第Ｉ個目の入出力ピンに接続される。第Ｉ＋１個目の入出力ピンと第Ｉ個目の入出力ピンとの間には、抵抗素子を有する。第Ｉ＋１個目の入出力ピンが前記第Ｉ個目の入出力ピンに対して特定の電圧まで充電させると、制御回路によりパルス発生回路が制御されて上述のパルスを出力させ、第Ｉ個目の入出力ピンの電位が特定の電圧より低いかどうかにより現在の使用者がめくっているページの判定を行う。
【発明の効果】
【００１８】
本発明の精神は、指定ページ（例えば、表表紙或いは裏表紙）の内部に、無線信号発射ユニット及び無線信号受信ユニットが設置され、且つ検出を行うページには薄膜回路が設置され、信号伝導経路を提供する。よって、薄膜回路により無線信号発射ユニットから発射された無線検出信号が伝導され、且つ無線信号受信ユニットにより上述の無線検出信号が受信されたかどうかにより現在のページの判定を行う。
【図面の簡単な説明】
【００１９】
【図１】上述した特許文献１が掲示される電子書籍のページ検出装置である。
【図２】他の従来の技術が掲示される光学シールド式ページ検出装置である。
【図３】本発明の好ましい実施形態による電子印刷物のシステムを示すブロック図である。
【図４】本発明の好ましい実施形態による電子印刷物のページ検出を示す概念図である。
【図５】本発明の好ましい実施形態による電子印刷物の伝送ユニット及び受信ユニットのシステムを示すブロック図である。
【図６】本発明の好ましい実施形態による電子印刷物の伝送ユニット及び受信ユニットを示す詳細な回路図である。
【図７】本発明の好ましい実施形態による電子印刷物のシステムを示すブロック図である。
【図８】本発明の好ましい実施形態による電子印刷物のページ検出を示す概念図である。
【図９】本発明の好ましい実施形態が図３の電子印刷物のページ検出の伝送ユニット及び複数個受信ユニットに対応される回路図である。
【図１０】本発明の好ましい実施形態が図９の電子印刷物のページ検出の伝送ユニット及び複数個受信ユニットに対応される操作波形図である。
【図１１】本発明の好ましい実施形態による自動ページ検出方法を示すフローチャートである。
【図１２】本発明の好ましい実施形態による自動ページ検出方法を示すフローチャートである。
【発明を実施するための形態】
【００２０】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【００２１】
（第１実施形態）
図３は本発明の好ましい実施形態による電子印刷物のシステムを示すブロック図である。前記電子印刷物は、Ｎ枚のページ３０１‐１〜３０１‐Ｎと、伝送ユニット３０２と、複数の受信ユニット３０３‐１〜３０３‐Ｎと、制御回路３０４とを含む。また、上述のＮ枚のページの第１〜第Ｎ枚目のページは共に１個の長方形の第一薄膜回路３０５‐１〜３０５‐Ｎ及び１個からＮ−１個の正方形の第二薄膜回路３０６を備える。一般的には、上述の伝送ユニット３０２、上述の複数の受信ユニット３０３‐１〜３０３‐Ｎ及び上述の制御回路３０４は表表紙或いは裏表紙に配置される。本技術分野で通常知識を有する者ならば、上述の薄膜回路が薄膜金属、導電性インク、導電性塗料、導電性コーティング剤（Ｃｏａｔｉｎｇ）等を含むことを承知しているため、詳述は省く。
【００２２】
上述の第一薄膜回路３０５‐１〜３０５‐Ｎ及び第二薄膜回路３０６は信号の伝導経路となる。図３を参照すると、前記電子印刷物が閉じられると、第１枚目から第Ｎ枚目のページ３０１‐１〜３０１‐Ｎの第一薄膜回路３０５‐１〜３０５‐Ｎが配置される位置は共に伝送ユニット３０２及び少なくとも１つの受信ユニットに重畳される。例えば、第１枚目のページ３０１‐１が、上述の伝送ユニット３０２と、上述の複数の受信ユニット３０３‐１〜３０３‐Ｎと、上述の制御回路３０４とを有する表紙の上に被せられると、第１枚目のページ３０１‐１の第一薄膜回路３０５‐１により伝送ユニット３０２及び第一受信ユニット３０３‐１が被覆される。同様に、第２枚目の３０１‐２が、上述の伝送ユニット３０２と、上述の複数の受信ユニット３０３‐１〜３０３‐Ｎと、上述の制御回路３０４とを有する表紙の上に被せられると、第２枚目のページ３０１‐２の第一薄膜回路３０５‐２により伝送ユニット３０２、第一受信ユニット３０３‐１及び第二受信ユニット３０３‐２が被覆される。
【００２３】
図４は本発明の好ましい実施形態による電子印刷物のページ検出を示す概念図である。例えば、使用者が電子印刷物の第３枚目のページをめくりたいとする。制御回路３０４により伝送回路３０２が制御されて検出信号ＤＳを発信させ、この際、第一薄膜回路３０５‐１、３０５‐２、３０５‐３により検出信号ＤＳが受信ユニット３０３‐１、３０３‐２及び３０３‐３に伝送される。制御回路３０４により伝送回路３０２が制御されて検出信号ＤＳを発射させると同時に、制御回路３０４によりどの受信ユニット３０３‐１〜３０３‐Ｎが検出信号ＤＳを受信させたかの判断を行う。制御回路３０４により受信ユニット３０３‐１、３０３‐２及び３０３‐３が検出信号ＤＳを受信させたと判断されると、使用者が上述の電子印刷物の第３枚目のページをめくったと判断される。
【００２４】
図５は本発明の好ましい実施形態による電子印刷物の伝送ユニット及び受信ユニットのシステムを示すブロック図である。本実施形態において、伝送ユニットは昇圧回路５０１及び伝送導体５０２を備える。受信ユニットは受信導体５０３と、フィルター回路５０４と、増幅回路５０５と、ピーク検出及び比較回路５０６とを含む。制御回路３０４により検出パルスが出力され、昇圧回路５０１により前記検出パルスの振幅が増幅され、伝送導体５０２により検出信号ＤＳが発射される。受信導体５０３により検出信号ＤＳが受信され、フィルター回路５０４によりノイズが除去される。その後、増幅回路５０５により信号が増幅され、ピーク検出及び比較回路５０６により増幅後の信号がパルスに変換されて制御回路３０４により識別される。
【００２５】
図６は本発明の好ましい実施形態による電子印刷物の伝送ユニット及び受信ユニットを示す詳細な回路図である。本実施形態において、昇圧回路５０１はトランジスタ６０１及び共振回路６０２で実施される。制御回路３０４により検出パルスがトランジスタ６０１のベース電極に送出され、前記検出パルスの周波数は上述の共振回路（ＲＬＣ）６０２の共振周波数にほぼ等しい。よって、伝送導体５０２により発信される検出信号ＤＳは振幅が相当に大きい共振正弦波である。
【００２６】
また、本実施形態において、フィルター回路５０４はインダクタンス及びキャパシタで構成されるバンドパスフィルター６０３で実施される。前記バンドパスフィルター６０３の通過帯域は上述の検出信号ＤＳの周波数をカバーさせ、ノイズの除去を行う。増幅回路５０５はコレクタフィードバックの共通エミッタ増幅回路６０４で実施され、受信された検出信号ＤＳの増幅を行う。ピーク検出及び比較回路５０６はダイオードと、抵抗器と、キャパシタとで構成される半分ピーク検出器６０５及び抵抗器であり、キャパシタ及び増幅器で構成される比較回路６０６で実施される。
【００２７】
上述の回路の実施形態によると、制御回路３０４により検出パルスが出力されると、制御回路３０４の入出力ピンにより比較回路６０５が出力させた論理高電圧が受電されると、上述の入出力ピンに対応する受信ユニットにより検出信号ＤＳが受信されたことを示し、このため、制御回路３０４により使用者がめくっているページが判定される。
【００２８】
上述の実施形態において、１つの伝送ユニットに複数の受信ユニットが組み合わせられる例を挙げたが、しかしながら、回路の詳細については、受信ユニット回路のコストは伝送ユニットのコストよりもずっと高いことが多い。また、受信ユニットの部材が多過ぎる。このため、電子印刷物の表紙が厚くなり過ぎる。上述の問題を解決するため、以下の実施形態では、複数の伝送ユニットが単一の受信ユニットに組み合わせられる例を挙げる。
【００２９】
図７は本発明の好ましい実施形態による電子印刷物のシステムを示すブロック図である。同様に、前記電子印刷物はＮ枚のページ７０１‐１〜７０１‐Ｎと、受信ユニット７０２と、複数の伝送ユニット７０３‐１〜７０３‐Ｎと、制御回路７０４とを含む。また、上述のＮ枚のページの内の第１〜第Ｎ枚目のページは共に１個の長方形の第一薄膜回路７０５‐１〜７０５‐Ｎ及び１個からＮ−１個の正方形の第二薄膜回路７０６を備える。一般的には、上述の受信ユニット７０２、上述の複数の伝送ユニット７０３‐１〜７０３‐Ｎ及び上述の制御回路７０４は表表紙或いは裏表紙に配置される。
【００３０】
同様に、上述の第一薄膜回路７０５‐１〜７０５‐Ｎ及び第二薄膜回路７０６は信号の伝導経路となる。図７に示すように、前記電子印刷物が閉じられると、第１枚目から第Ｎ枚目のページ７０１‐１〜７０１‐Ｎの第一薄膜回路７０５‐１〜７０５‐Ｎの配置位置は共に受信ユニット７０２及び少なくとも１つの伝送ユニットに重畳される。例えば、第１枚目のページ７０１‐１が上述の受信ユニット７０２と、上述の複数の伝送ユニット７０３‐１〜７０３‐Ｎと、上述の制御回路７０４とを有する表紙の上に被せられると、第１枚目のページ７０１‐１の第一薄膜回路７０５‐１により受信ユニット７０２及び第一伝送ユニット７０３‐１が被覆される。同様に、第２枚目のページ７０１‐２が上述の受信ユニット７０２と、上述の複数の伝送ユニット７０３‐１〜７０３‐Ｎと、上述の制御回路７０４とを有する表紙の上に被せられると、第２枚目のページ７０１‐２の第一薄膜回路７０５‐２により受信ユニット７０２、第一伝送ユニット７０３‐１及び第二伝送ユニット７０３‐２が被覆される。
【００３１】
図８は本発明の好ましい実施形態による電子印刷物のページ検出を示す概念図である。例えば、使用者が前記電子印刷物の第３枚目のページをめくるとする。制御回路７０４により各伝送ユニット７０３‐１〜７０３‐Ｎが制御されて検出時間内に、検出信号ＤＳ１〜ＤＳＮを順に発射させる。検出時間は少なくともＮ個の準時間に分けられ、第一準時間で伝送ユニット７０３‐１により検出信号ＤＳ１が発射され、第二準時間で伝送ユニット７０３‐２により検出信号ＤＳ２が発射され、以降も同じように続く。この場合、第二薄膜回路７０６及び上述の第一薄膜回路７０５‐１〜７０５‐３により検出信号ＤＳ１〜ＤＳ３が受信ユニット７０２に伝送される。制御回路７０４により伝送ユニット７０３‐１〜７０３‐Ｎが制御されて検出信号ＤＳ１〜ＤＳＮを発射させると同時に、制御回路７０４が受信ユニット７０２により受信された検出信号の判断を行う。制御回路７０４により受信ユニット７０２が受信させた検出信号ＤＳ１、ＤＳ２及びＤＳ３の判断が行われて、使用者が上述の電子印刷物の第３枚目のページをめくったと判断される。
【００３２】
上述の２つの実施形態において、信号が十分強く、且つページ数が多くない場合、第二薄膜回路７０６或いは第二薄膜回路３０６が配置されなくてもよい。しかしながら、ページが厚過ぎたり、信号が十分強くない場合、上述の第二薄膜回路７０６或いは第二薄膜回路３０６が必要になる。上述のいくつかの実施形態の欠点は、伝送端及び受信端の部材数が多過ぎ、且つどれもディスクリート回路（Ｄｉｓｃｒｅｔｅ  Ｃｉｒｃｕｉｔ）で実施される必要があり、故に、電子印刷物の表紙に一定の厚さが必要になる点である。下述の実施形態は、ディスクリート回路を減少させるための実施形態である。ディスクリート回路の使用を減らすため、複雑な制御機制が必要になり、ソフトウェアと組み合わせられる設計となる。
【００３３】
図９は本発明の好ましい実施形態が図３の電子印刷物のページ検出の伝送ユニット及び複数の受信ユニットに対応される回路図である。本実施形態において、伝送ユニット９１は倍電圧回路９１１、トランジスタスイッチ９１２及び伝送導体９１３のみで実施され、受信ユニット９２は受信導体９２１、抵抗器９２２及び制御回路３０４が受信ユニット９２の入出力ポートＲＸＩＯ‐１〜ＲＸＩＯ‐Ｎに接続されることのみで実施され、各２つの入出力ポートには１つの抵抗器９２２が配置される。
【００３４】
図１０は本発明の好ましい実施形態が図９の電子印刷物のページ検出の伝送ユニット及び複数の受信ユニットに対応される操作波形図である。例えば入出力ポートＲＸＩＯ‐１の受信ユニット９２の検出において、入出力ポートＲＸＩＯ‐２が入出力ポートＲＸＩＯ‐１の受信ユニット９２に対して充電を行い、入出力ポートＲＸＩＯ‐１の受信ユニット９２が特定の電圧まで充電されると、例えば半分の電源電圧ＶＤＤ／２まで充電されると、制御回路３０４により伝送ユニットが制御されて検出パルスを発信させ、入出力ポートＲＸＩＯ‐１の受信ユニット９２により検出パルスが受信されると、その波形は１００１に示すようになる。この場合、制御回路３０４の入出力ポートＲＸＩＯ‐１が同時にパルスを検出させる。
【００３５】
同様に、例えば入出力ポートＲＸＩＯ‐２の受信ユニット９２の検出において、入出力ポートＲＸＩＯ‐１が入出力ポートＲＸＩＯ‐２の受信ユニット９２に対して充電を行い、入出力ポートＲＸＩＯ‐２の受信ユニット９２が特定の電圧まで充電されると、例えば半分の電源電圧ＶＤＤ／２まで充電されると、制御回路３０４により伝送ユニットが制御されて検出パルスを発信させ、入出力ポートＲＸＩＯ‐２の受信ユニット９２により検出パルスが受信されると、その波形は１００１に示すようになる。この場合、制御回路３０４の入出力ポートＲＸＩＯ‐２が同時にパルスを検出させる。
【００３６】
上述の実施形態から分かるように、前述の実施形態ではディスクリート回路の使用が大幅に減少し、表紙の厚さが減り、コストも削減される。しかしながら、上述の実施形態の設計では、耐ノイズ能力が弱い。上述の実施形態における耐ノイズ能力を高めるため、検出回数を増加させることで耐ノイズ能力を高めて、ページの誤判断を回避させる。
【００３７】
さらに、上述の図９の実施形態及び図６の実施形態の比較を行う。図６の伝送ユニット及び受信ユニットを採用する場合、共振回路が発生させる信号が強いため、ページ数が多くなければ前記第二薄膜回路３０６及び前記第二薄膜回路７０６が配置されなくとも、信号が受信ユニットに伝送される。しかしながら、図９の実施形態では、信号が弱いため、第二薄膜回路３０６により提供される信号伝導経路が必要であり、信号が過度に減衰して受信ユニット９２により受信できなくなる事態を回避させる。前述のように、図９の実施形態がページ数の少ない電子印刷物に応用される場合、第二薄膜回路３０６は必要ない。よって、第二薄膜回路３０６及び第二薄膜回路７０６は任意の設計になり。本発明は上述の第二薄膜回路３０６及び第二薄膜回路７０６に限定されない。
【００３８】
なお、上述のいくつかの実施形態は共に電子印刷物の表紙（表表紙或いは裏表紙）に伝送ユニット及び受信ユニットが設置されるものを例示するが、しかしながら本技術分野で通常知識を有する者ならば、どの指定ページに伝送ユニット及び受信ユニットが設置されても同様の効果を達成させることを熟知しており、よって本発明はこれに制限されない。
【００３９】
上述の図３の実施形態によれば、自動ページ検出方法に帰納する。図１１は本発明の好ましい実施形態による自動ページ検出方法を示すフローチャートである。前記自動ページ検出方法は、以下の工程を含む。
工程Ｓ１１０１：開始。
工程Ｓ１１０２：電子印刷物の指定ページのＮ個の第一所定位置にＮ個の受信ユニットが設置される。例えば、表表紙或いは裏表紙に受信ユニットが設置される。
工程Ｓ１１０３：電子印刷物の上述の指定ページの第二所定位置に伝送ユニットが設置される。
工程Ｓ１１０４：Ｎ枚のページにＮ個の薄膜回路がそれぞれ設置され、第Ｋページの第Ｋ個目の第一所定位置から第二所定位置の間に、薄膜回路が設置される。
工程Ｓ１１０５：伝送ユニットにより検出信号が発信される。
工程Ｓ１１０６：上述のＮ個の受信ユニットの内の前記検出信号を受信させた受信ユニットに基づいて、現在のページ数の判断を行う。
工程Ｓ１１０７：終了。
【００４０】
同様に、上述の図７の実施形態によると、自動ページ検出方法に帰納する。図１２は本発明の好ましい実施形態による自動ページ検出方法を示すフローチャートである。前記自動ページ検出方法は、以下の工程を含む。
工程Ｓ１２０１：開始。
工程Ｓ１２０２：電子印刷物の指定ページのＮ個の第一所定位置にＮ個の伝送ユニットが設置される。例えば、表表紙或いは裏表紙に伝送ユニットが設置される。
工程Ｓ１２０３：電子印刷物の上述の指定ページの第二所定位置に受信ユニットが設置される。
工程Ｓ１２０４：Ｎ枚のページにＮ個の薄膜回路がそれぞれ設置され、第Ｋページの第Ｋ個目の第一所定位置から第二所定位置の間に、薄膜回路が設置される。
工程Ｓ１２０５：各上述の伝送ユニットにより検出信号が発信され、第Ｉ個目の伝送ユニットにより第Ｉ信号が発信される。
工程Ｓ１２０６：上述の受信ユニットにより受信された検出信号の索引番号に基づいて、現在のページ数の判断を行う。
工程Ｓ１２０７：終了。
【００４１】
以上のことから、本発明の精神は、指定ページ（例えば表表紙或いは裏表紙）の内部に無線信号発射ユニット及び無線信号受信ユニットが設置され、且つ検出を行うページに薄膜回路が設置され、信号伝導経路を提供する。故に、薄膜回路により無線信号発射ユニットが発射させた無線検出信号が伝導され、無線信号受信ユニットにより上述の無線検出信号が受信されたかどうかにより現在のページの判定を行う。
【００４２】
従って、本明細書に開示された実施形態は、本発明を限定するものではなく、説明するためのものであり、このような実施形態によって本発明の思想と範囲が限定されるものではない。本発明の範囲は特許請求の範囲により解釈すべきであり、それと同等の範囲内にある全ての技術は、本発明の権利範囲に含まれるものと解釈すべきである。
【符号の説明】
【００４３】
１０１：バーコード
１０２：赤外線読取回路
２０１：光センサー
３０１−１〜３０１−Ｎ、７０１−１〜７０１−Ｎ：ページ
３０２、７０３−１〜７０３−Ｎ、９１：伝送ユニット
３０３−１〜３０３−Ｎ、７０２、９２：受信ユニット
３０４、７０４：制御回路
３０５−１〜３０５−Ｎ、７０５−１〜７０５−Ｎ：第一薄膜回路
３０６、７０６：第二薄膜回路
ＤＳ、ＤＳ１〜ＤＳＮ：検出信号
５０１：昇圧回路
５０２：伝送導体
５０３：受信導体
５０４：フィルター回路
５０５：増幅回路
５０６：ピーク検出及び比較回路
６０１：トランジスタ
６０２：共振回路（ＲＬＣ）
６０３：バンドパスフィルター
６０４：コレクタフィードバックの共通エミッタ増幅回路
６０５：半分ピーク検出器
６０６：比較回路
９１１：倍電圧回路
９１２：トランジスタスイッチ
９１３：伝送導体
９２１：受信導体
９２２：抵抗器
ＲＸＩＯ−１〜ＲＸＩＯ−Ｎ：制御回路３０４の入出力ポート
１００１：入出力ポートの受信ユニット９２が検出パルスを受信する波形
Ｓ１１０１〜Ｓ１１０７：本発明の実施形態の各工程
Ｓ１２０１〜Ｓ１２０７：本発明の実施形態の各工程
【図１】
2016189191.tif 000003
【図２】
2016189191.tif 000004
【図３】
2016189191.tif 000005
【図４】
2016189191.tif 000006
【図５】
2016189191.tif 000007
【図６】
2016189191.tif 000008
【図７】
2016189191.tif 000009
【図８】
2016189191.tif 000010
【図９】
2016189191.tif 000011
【図１０】
2016189191.tif 000012
【図１１】
2016189191.tif 000013
【図１２】
2016189191.tif 000014